(57)【要約】消費者対話キオスクは、１つまたは複数のディスプレイ（必要なら、タッチスクリーンディスプレイを含むことができる）と、そのディスプレイ（複数可）に動作可能に結合される制御回路とを特徴とする。そのようなキオスクは、例えば、小売り現場（限定はしないが、食料雑貨店や、百貨店またはディスカウントストアの食料雑貨部門など）の近傍またはその中に配置することができる。キオスクによって表示されるコンテンツは、アプリケーション設定の必要と共に変化する可能性があるが、例えば、消費者アトラクションコンテンツ、情報収集促進コンテンツ、配信情報コンテンツ、エンターテイメントコンテンツなどを含むことができる。必要なら、そのようなキオスクを、販売用または無料の消耗品（無料の製品サンプルなど）を販売するように構成することもできる。
2014514643.tif 000002
【特許請求の範囲】
【請求項１】
ディスプレイと、
前記ディスプレイに動作可能に結合された制御回路であって、消費者との対面対話の間に、
特定のソーシャルネットワーク動作に関与するように前記消費者に促し、
前記消費者が前述特定のソーシャルネットワーク動作に関与したことを確認し、
前記消費者が前記特定のソーシャルネットワーク動作に関与したことを確認したとき、前記消費者に販売促進機会で報いる
ように構成された制御回路と
を備えることを特徴とする消費者対話キオスク。
【請求項２】
前記特定のソーシャルネットワーク動作は特定のソーシャルネットワークエンティティと友達になることを含むことを特徴とする請求項１に記載の消費者対話キオスク。
【請求項３】
前記特定のソーシャルネットワークエンティティは、前記消費者対話キオスクを含むことを特徴とする請求項２に記載の消費者対話キオスク。
【請求項４】
前記特定のソーシャルネットワークエンティティは、前記消費者対話キオスクのスポンサとなるエンティティを含むことを特徴とする請求項２に記載の消費者対話キオスク。
【請求項５】
前記特定のソーシャルネットワーク動作は、特定のソーシャルネットワークエンティティをフォローすることを含むことを特徴とする請求項１に記載の消費者対話キオスク。
【請求項６】
前記特定のソーシャルネットワークエンティティは、前記消費者対話キオスクと、前記消費者対話キオスクのスポンサとなるエンティティの少なくとも一方を含むことを特徴とする請求項５に記載の消費者対話キオスク。
【請求項７】
特定のソーシャルネットワーク動作に関与するように前記消費者に促すことは、ウェブ使用可能スマートフォンを介して前記特定のソーシャルネットワーク動作に関与するように前記消費者に促すことを含むことを特徴とする請求項１に記載の消費者対話キオスク。
【請求項８】
前記販売促進機会は、割引きおよびリベートクーポンの少なくとも一方を前記消費者に提供することを含むことを特徴とする請求項１に記載の消費者対話キオスク。
【請求項９】
前記クーポンは、ハードコピークーポンおよび仮想クーポンの少なくとも一方を含むことを特徴とする請求項８に記載の消費者対話キオスク。
【請求項１０】
前記販売促進機会は、無料品目と交換可能である引換え券を含むことを特徴とする請求項１に記載の消費者対話キオスク。
【請求項１１】
前記引換え券は、ハードコピー引換え券および仮想引換え券の少なくとも一方を含むことを特徴とする請求項１０に記載の消費者対話キオスク。
【請求項１２】
前記引換え券は、前記消費者対話キオスクをホストする場所以外の場所で無料品目と交換可能であることを特徴とする請求項１０に記載の消費者対話キオスク。
【請求項１３】
前記販売促進機会は、直ちに提供される無料サンプルを含むことを特徴とする請求項１に記載の消費者対話キオスク。
【請求項１４】
前記消費者対話キオスク自体は、前記直ちに提供される無料サンプルを販売するように構成されることを特徴とする請求項１３に記載の消費者対話キオスク。
【請求項１５】
前記制御回路は、前記消費者が特定の無料サンプルを受け取るように選択することを可能にするようにさらに構成されることを特徴とする請求項１３に記載の消費者対話キオスク。
【請求項１６】
前記消費者が前記特定のソーシャルネットワーク動作に関与したことを確認することは、前記消費者から動作検証コードを受け取ることを含むことを特徴とする請求項１に記載の消費者対話キオスク。
【請求項１７】
前記消費者から動作検証コードを受け取ることは、触覚ユーザインターフェースを介して前記動作検証コードを受け取ることを含むことを特徴とする請求項１６に記載の消費者対話キオスク。
【請求項１８】
前記消費者から動作検証コードを受け取ることは、イメージキャプチャ入力を介して動作検証コードを受け取ることを含むことを特徴とする請求項１６に記載の消費者対話キオスク。
【請求項１９】
イメージキャプチャ入力を介して前記動作検証コードを受け取ることは、２次元コードのイメージを受け取ることを含むことを特徴とする請求項１８に記載の消費者対話キオスク。
【請求項２０】
前記消費者から動作検証コードを受け取ることは、前記特定のソーシャルネットワーク動作に関与することの引換えにソーシャルネットワークサイトから前記消費者が受信する動作検証コードを前記消費者から受け取ることを含むことを特徴とする請求項１６に記載の消費者対話キオスク。
【発明の詳細な説明】
【技術分野】
【０００１】
本発明は、一般には自動販売機に関する。
【背景技術】
【０００２】
関連出願
本願は、参照によりその全体が本明細書に組み込まれる２０１１年３月２３日出願の米国特許仮出願第６１／４６６６７６号明細書の優先権を主張する。
【０００３】
本願は、参照によりその全体が本明細書に組み込まれる２０１０年４月１３日出願のＤｉｓｐｌａｙ−Ｂａｓｅｄ  Ｖｅｎｄｉｎｇ  Ａｐｐａｒａｔｕｓ  ａｎｄ  Ｍｅｔｈｏｄという名称の、同時係属であり共有される米国特許出願第１２／７５９１８９号明細書に関連する。
【０００４】
自動化消費者体験（ａｕｔｏｍａｔｅｄ−ｃｏｎｓｕｍｅｒ  ｅｘｐｅｒｉｅｎｃｅ）が当技術分野で知られている。例えば、現金自動預払機は、消費者が銀行の窓口係と（少なくともリアルタイムで）対話することなく消費者の銀行預金口座から現金を引き出す（または消費者の銀行預金口座に現金を預ける）ことを可能にする。別の例として、自動販売機は、消費者が相手の人物と対話することなく特定の商品を購入し、直ちに受け取ることを可能にする。
【発明の概要】
【発明が解決しようとする課題】
【０００５】
こうした点での周知の手法は、多くの有用な目的にかなうが、それでも、既存の解決策では適切なレベルの対話およびサービスを容易にするのには単純に不十分である多数のアプリケーション設定が依然として残っている。これにより、消費者が受けるサービスが不十分となり、そのような消費者を引き付け、影響を与えようとする者にとって機会が活かされなくなる。
【課題を解決するための手段】
【０００６】
上記の必要は、以下の詳細な説明で説明する自動化消費者対話体験（ａｕｔｏｍａｔｅｄ  ｃｏｎｓｕｍｅｒ−ｉｎｔｅｒａｃｔｉｏｎ  ｅｘｐｅｒｉｅｎｃｅ）に関する方法および装置の提供により、特に図面と共に調べるときに少なくとも部分的に満たされる。
【０００７】
図の要素は、簡単および明快のために示され、必ずしも原寸に比例しない。例えば、図の要素の一部の寸法および／または相対的配置は、本発明の様々な実施形態の理解を向上する助けとなるように、他の要素に比べて誇張されることがある。さらに、本発明のこうした様々な実施形態の図を遮らないようにするために、商業的に実現可能な実施形態では有用または必要である、一般的ではあるがよく知られた要素は、多くの場合は図示されない。ある動作および／またはステップが特定の発生順序で説明または図示されることがあるが、シーケンスに関するそのような特定性は実際には必要ではないことを当業者は理解されよう。本明細書で使用される用語および表現は、異なる特定の意味が本明細書で別に説明される場合を除いて、上述の技術分野の技術者によるそのような用語および表現と一致するような通常の技術的意味を有する。
【図面の簡単な説明】
【０００８】
【図１】本発明の様々な実施形態に従って構成されたブロック図を含む図である。
【図２】本発明の様々な実施形態に従って構成された概略正面図を含む図である。
【図３】本発明の様々な実施形態に従って構成された概略正面図を含む図である。
【図４】本発明の様々な実施形態に従って構成された概略正面図を含む図である。
【図５】本発明の様々な実施形態に従って構成された概略平面図を含む図である。
【発明を実施するための形態】
【０００９】
一般的に言えば、こうした様々な実施形態に従って、消費者対話キオスクは、１つまたは複数のディスプレイ（必要なら、タッチスクリーンディスプレイを含むことができる）と、そのディスプレイ（複数可）に動作可能に結合される制御回路とを特徴とする。そのようなキオスクは、例えば、小売り現場（限定はしないが、食料雑貨店や、百貨店またはディスカウントストアの食料雑貨部門など）の近傍またはその中に配置することができる。キオスクによって表示されるコンテンツは、アプリケーション設定の必要と共に変化する可能性があるが、例えば、消費者アトラクションコンテンツ、情報収集促進コンテンツ、配信情報コンテンツ、エンターテイメントコンテンツなどを含むことができる。必要なら、そのようなキオスクを、販売用または無料の消耗品（無料の製品サンプルなど）を販売するように構成することもできる。
【００１０】
一手法により、上述の制御回路を、新しい情報、販売促進、消耗品などに対処するように容易かつ定期的に再プログラムすることができる。必要なら、１つまたは複数の促進ネットワーク（および／または直接接続）を介して、この制御回路を、キオスクをホストする小売り現場に関連するソーシャルネットワーキングサービス、消費者エンドユーザプラットフォーム（いわゆるスマートフォンなど）、１つまたは複数のサーバ、データベースなどに結合し、それによって、キオスクのサポートする対話の地理および／またはコンテンツベースの拡張を容易にすることができる。
【００１１】
こうした教示に従って、そのようなキオスクは、消費者を新しい機会に触れさせ、所与の製造業者および／または販売者の消費者の理解および所与の製造業者および／または販売者との関係をさらに豊かにし、かつ／または維持する働きをすることができる。こうした教示はまた、所与の消費者対話機会を大いに活用して、スポンサの製品群の消費者の意識を深め、それによって忠誠および製品使用を励ます働きをすることができる。
【００１２】
これらおよび他の利点は、以下の詳細な説明の検討および調査を行うときにより明らかとなる。ここで図面、特に図１を参照しながら、こうした教示の多くと適合する例示的プロセスを提示する。
【００１３】
この例示的実施例では、消費者対話キオスクは、メモリおよび１つまたは複数のディスプレイに動作可能に結合される制御回路を備える。この制御回路は、固定目的プラットフォーム（いわゆるハードワイヤードプラットフォームなど）を備えることができ、または部分的または全体的にプログラム可能なプラットフォームを備えることができる。プログラム可能なとき、上述のメモリは、少なくとも部分的に、コンピュータ命令の一部またはすべてを収容する働きをすることができ、コンピュータ命令は、制御回路によって実行されたとき、本明細書に記載のステップ、動作、および／または機能のうちの１つまたは複数を実施する。ディスプレイは、例えば、フラットスクリーンディスプレイ（必要に応じて、フルカラーまたは単色）を含むことができ、ディスプレイは、通常の身長の人が立つときに容易に閲覧可能となるように、キオスクハウジング上またはキオスクハウジング内に取り付けられる。このことは、一手法により、ディスプレイのより長い寸法が垂直に向くようにディスプレイを構成することを含むことができる。
【００１４】
一手法により、ディスプレイのうちの１つまたは複数は、全体的または部分的に、タッチスクリーンディスプレイを備えることができる。そのように構成されると、消費者は、ディスプレイにタッチする（またはタッチするように見せる）ことによって応答または他の命令を入力することができる。様々なタッチスクリーン方法が当技術分野で知られている。こうした教示は、こうした点で何らかの特定の選択に特に敏感ではないので、そのような方法に関するここでのさらなる詳細は提示しない。
【００１５】
一手法により、消費者対話キオスクはまた、必要に応じて１つまたは複数のオーディオドライバ（および対応するオーディオ変換器）をも備えることができる。これは、表示されるコンテンツと同期して、あるいは必要に応じて、オーディオコンテンツのレンダリングを容易にする役割を果たすことができる。
【００１６】
一手法により、上述の制御回路はまた、必要に応じて販売インターフェース（複数可）に動作可能に結合することができる。この販売インターフェースは、販売で、または必要なら無料サンプルとして、キオスクが消費者に１つまたは複数の品目を販売することを可能にするように構成することができる。無料サンプル配布プラットフォームとして動作するとき、そのようなキオスクは、他の店内サンプリング業務を補完し、またはそのような業務に対抗し、置き換える役割を果たすことができる。
【００１７】
一手法により、キオスクは、ただ１つの販売可能商品を提供することができる。別の手法により、キオスクは、複数の異なる選択可能な販売可能商品を提供することができる。これには、限定はしないが、包装された（または未包装の）、棚に置くことができる、または冷蔵された（さらには冷凍された）食品品目を含めることができる。そのようなキオスクはまた、必要なら、制御され、安全な方式で販売促進プレミアムを保持し、選択可能に提供する働きをすることができる。そのように構成されると、販売促進の意図が満たされることを保証する助けとなるように、そのようなプレミアムの保管と、その配布方式のどちらも適切に制御することができる。
【００１８】
キオスクの販売可能商品保管エリアを、そうした商品の短期または長期保管に適合するように適宜構成することができる。例えば、一手法により、そうした商品の保存の必要に応じて、適宜、保管エリアを冷蔵および／または加熱することができる。
【００１９】
さらに、必要に応じて、販売可能品目を消費者に販売する前に、その品目を処理するようにそのようなキオスクを構成することができる。これは、例えば、１つまたは複数の販売可能品目を消費者に提供する前に、その品目を選択的に加熱することを含むことができる。こうした点で別の例として、消費者の表現された個人的選択（例えば、温度、液体、粉末、風味、栄養補助食品のようなパラメータに関する）に従って準備される無料サンプルを含む飲料を準備および分配するように、そのようなキオスクを構成することができる。
【００２０】
一手法により、そのような販売／サンプリング機能の貯蔵は（選択可能な対応するインターフェースの再スキニングおよび／または伝達される実際のコンテンツに対する変形と共に）、キオスクを物理的にホストする企業と共に調整することができる。例えば、そのようなマシンをホストする食料雑貨店に、店内サンプリング提供を介して過剰な在庫を移動する機会を提供することができる。
【００２１】
販売可能品目のうちの１つまたは複数が販売で提供されるとき、任意選択で、キオスクは、制御回路も動作可能に結合するＰＯＳ（ポイントオブセール）インターフェースをさらに備えることができる。そのように構成されると、ポイントオブセールインターフェースは、消費者から通貨および／または硬貨を受け取る働きをすることができ、かつ／または、例えば、クレジットまたはデビットカードを受け取り、かつ／または読み取るように構成することができる。他のポイントオブセールインターフェースが当技術分野で知られており、または将来に開発される可能性がある。こうした教示は、こうした点で何らかの特定の選択に特に敏感ではないので、さらなる詳細はここでは提示しない。
【００２２】
こうした教示は、制御回路に１つまたは複数のカメラを動作可能に結合することにさらに対処する。これらには、ビデオカメラおよび／または静止画像カメラを含めることができる。カメラは、キオスクと対話する願望を示唆するようにキオスクに対して位置する、予想される身長の範囲内の身長を有する消費者（複数可）をカメラの視野が含む可能性が高くなるように配向することができる。
【００２３】
一手法により、そのような消費者の存在を検出するためにカメラが取り込んだイメージを処理するように制御回路を構成することができる。別の手法により、上記の代わりに、または上記と組み合わせて、キオスクは、１つまたは複数の近接センサ（限定はしないが、受動赤外線（ＰＩＲ）センサなど）（図示せず）をさらに含み、それによって、利用可能な消費者の検出を容易にすることができる。必要なら、このカメラは、固定視野を有することができる。しかし、こうした教示はまた、選択的に調節可能な焦点、水平移動、傾斜、および／またはズームを有することに対処する。一手法により、消費者の顔立ちを最良に取り込むことを容易にするように、そのようなパラメータを制御回路によって自動的に変更することができる（またはカメラ自体の固有の機能を含むことができる）。
【００２４】
一手法により、こうした教示はまた、上述の制御回路に動作可能に結合する１つまたは複数のリーダを含むようにそのようなキオスクを構成することに対処する。一手法により、そのようなリーダは磁気ストライプリーダを含むことができ、それによって、例えば、キオスクをホストする小売り現場によって発行および管理される得意客／ロイヤルティカード上の符号化されたデータを読み取ることを容易にする。やはりこうした点でどんな限定も意図しないが、こうした点での別の例として、そのようなリーダは、本人確認、クレジット、デビット、および／または他の消費者対話取引および体験のために消費者が携行および利用することのできる１つまたは複数のＲＦＩＤタグを読み取るための無線周波数識別（ＲＦＩＤ）タグリーダを含むことができる。
【００２５】
必要なら、（消費者からの直接入力を介して、かつ／または観察される消費者の挙動から推論して）許可ベースの消費者情報を要請および収集するようにそのようなキオスクを構成することもできる。そのような情報を格納し、またはリモート位置に搬送することができ、いずれにしても、そのような情報は、改善された消費者関係、マーケティング、および消費者結合サービスを通知する働きをすることができる。
【００２６】
必要なら、このキオスクは、ほぼスタンドアロンのプラットフォームを備えることができる。しかし、必要なら、他のリソース、サーバ、およびエンティティとローカルまたはリモートに対話するようにこのキオスクを構成することができる。このことは、例えば、ローカルエリアワイヤレスインターフェース（限定はしないが、Ｂｌｕｅｔｏｏｔｈ（登録商標）互換インターフェースなど）、（１つまたは複数の８０２．１１（ｘ）互換プロトコルをサポートする）いわゆるＷＩＦＩインターフェースなどに制御回路を動作可能に結合することを含むことができる。そのように構成されると、制御回路は、例えば、普通ならキオスクと対話している消費者によって携行および利用されるとき、ＢｌｕｅｔｏｏｔｈまたはＷＩＦＩ使用可能なスマートフォン、携帯情報端末、ラップトップコンピュータ、タブレットコンピュータなどと通信することができる。
【００２７】
同一の回線に沿って、制御回路は、１つまたは複数の他の種類のネットワークインターフェースに動作可能に結合することができる。そのように構成されると、キオスクは、例えば、インターネットなどのエクストラネットにアクセスすることができる。別の手法により、上記の代わりに、または上記と組み合わせて、そのようなネットワークインターフェースは、キオスクの制御回路が、キオスクをホストする小売り現場にサービスするプライベートネットワークの一部を備えるとき、１つまたは複数の施設内サーバ、データベース、または他のネットワーク要素と対話することを可能にすることができる。一般的に言えば、そのようなキオスクは、スタンドアロンモードで動作するように構成することができ、または例えば、小売りメディアネットワークおよび他の家庭外ネットワークを含む任意の数の他のサービスと必要に応じて結びつけることができる。
【００２８】
そのようなキオスクを、（例えば、ＦｏｕｒＳｑｕａｒｅ、Ｌｏｏｐｔ、メッシュネットワーク、消費者の位置可能電話装置などを介して得られる）任意の利用可能な位置ベースの情報およびサービスを活用するように構成することもできる。そのような情報は、例えば、地理的位置に応じて特定または一般の顧客に提供される実際の情報にさらに影響を及ぼす働きをすることができる。
【００２９】
次に図２を参照すると、そのようなキオスクは、上述の構成要素を収容または支持するために一体型またはマルチパートハウジングを備えることができる。上述のように、必要なら、ディスプレイのより長い寸法が垂直に配置されるように、そのようなキオスク用のディスプレイを配向することができる。やはり上述のように、そのようなキオスクは、複数のディスプレイを備えることができ、必要なら、図示する特定の例示的実施例では、こうした点でどんな限定も意図しないが、１つまたは複数の消費者対話ステーションを収容するようにそのようなキオスクを構成することができる（そのような３つのステーションを図２に示す）。この例示的実施例では、各１次ディスプレイの下に販売エリアが配置され、その特定のステーションで消費者に販売可能品目を提供することが可能となる。販売エリアと各ディスプレイとの間にカードリーダが配設され、例えば、消費者のロイヤルティカードなどを読み取ることが可能となる。この例示的実施例はまた、各ディスプレイの上に配置され、そのそれぞれのステーションエリアを占有する消費者を含むように配向されるカメラも示す。
【００３０】
一手法により、必要なら、そのようなキオスクハウジングは、１つまたは複数の棚エリアを含むことができ、この特定の例示的実施例では、棚エリアは、各ディスプレイの両側に配置される。こうした棚エリアは、消費者が後の購入のために選択することができる１つまたは複数の品目を貯蔵および提示する働きをすることができる。
【００３１】
そのようなキオスクハウジングは、様々な金属、プラスチック、および木材などの自然材料などを含む任意の適切な材料（複数可）から構成することができる。キオスクの寸法は、所与のアプリケーション設定を特徴付けるのに資する必要および／または機会に適合するのに適切なだけ小さいまたは大きいスペースを占有するように選択することができる。
【００３２】
前述のように、そのようなキオスク用のディスプレイは、様々な種類のコンテンツを提示することができる。このコンテンツは、各ディスプレイについて所与の瞬間で同一でよい（例えば、各ディスプレイが消費者をキオスクに引き付けることを意図するコンテンツを提示しているとき）。各ディスプレイについて異なるコンテンツを提示することも可能である。これは、例えば、異なる消費者が消費者対話ステーションのそれぞれに存在するときに特に適切である可能性がある。
【００３３】
こうした点で単なる１つの単純な例として、図３をしばらく参照すると、そのようなディスプレイは、直感的で自然な形で消費者を引き付け、消費者と対話するために、人物および／またはアバタの選択肢のイメージを提示することができる。他の目的を促進するために他のグラフィックコンテンツを適宜利用することができる。例えば、図示する単純な例では、右下のコーナの下向きの矢印は、そのエリア近傍のディスプレイの下に配設されたロイヤルティカードリーダに消費者の注意を向ける働きをすることができる。
【００３４】
やはり上述のように、こうしたディスプレイのうちの１つまたは複数は、タッチスクリーンディスプレイを含むことができる。こうした点での単純な例示的実施例として、次に図４をしばらく参照すると、そのようなタッチスクリーンディスプレイは、消費者が複数の選択肢の中から直感的に選択することを可能にする働きをすることができる。例えば、図４では、消費者は、ディスプレイの対応するエリア内でディスプレイに単にタッチすることにより、オプションＡとオプションＢの間で選ぶことができる。
【００３５】
上述のように、必要なら、図５に全般的に示すように、そのようなキオスクを小売り現場内に配置することができる。キオスクは、コンテンツを含むことがあり、または含まないことがあり、あるいは、小売り現場運営者と同じであり、または異なるスポンサの目的を果たすことがあり、または果たさないことがある。例えば、小売り現場が食料雑貨店運営者によって運営されることがあり、一方、少なくとも主に、１つまたは複数の食料雑貨品目の製造業者がキオスクのスポンサとなる。必要に応じて、そのような製造業者と小売り現場運営者の両方がキオスクの共同のスポンサとなることも可能である。小売り現場以外の非伝統的設定でこうした教示を適用できることを当業者は理解されよう。可能な代替現場は、限定はしないが、トラベルステーションおよび発着所（空港、バス発着所、およびバス停留所、列車駅など）を含む。
【００３６】
一手法により、そのようなキオスクを、販売のために提供される現場の品目の１次ディスプレイから離して配置することができる。このことは、例えば、店の正面付近（例えば、サービスデスクなどの近傍）にキオスクを配置することを含むことができる。しかし、こうした教示は他の位置にも対処する。例えば、上記の代わりに、または上記と組み合わせて、そのようなキオスクを１次製品表示エリア内に配置する（例えば、シェルビングユニットの正面に提示し、あるいはシェルビングユニット内に一体的に提示する）ことができる。
【００３７】
そのように構成されると、そのようなキオスクを、いくつかの有用な消費者体験対話のいずれかを実施するように構成することができる。次に、いくつかの例示的実施例を与える。こうした実施例は、その具体性または詳細によってこうした点で限定を示唆するものではないことを当業者は理解されよう。
【００３８】
そのようなキオスクを、１つまたは複数の上述のステーションで自身を提示する消費者がいないときにアトラクションモードで動作するように構成することができる。このことは、ディスプレイ、オーディオコンテンツ、またはその両方を介してグラフィックコンテンツを提示することを含むことができる。レンダリングされる情報は、例えば、通行人の目および／または耳を引き付けるように意図され、そのような通行人の好奇心または関心を引き付ける可能性の高い実際のコンテンツを有する一般的情報でよい。消費者の関心を引き付けるのでない限り、消費者の関心を引き付けるまでコンテンツの適切な反復を可能にするように、そのようなコンテンツをループすることができる。もちろん、こうした教示は、コンテンツを順次またはランダムに変更し、それによって恐らくは消費者の関心を首尾よく引き付ける機会を増大させることができるように、２つ以上の誘引ループを有することに対処する。
【００３９】
そのようなキオスクがそのような誘引モードを完了し、対話モードを開始することができる様々な方式がある。一手法により、例えば、消費者は、その存在および関心を示すために、ディスプレイを単にタッチすることができる。別の手法により、消費者の存在を自動的に検出することができ、対応する対話モードを開始することができる。
【００４０】
必要なら、関心を持つ消費者のイメージを取り込むためのカメラの使用を活用して、消費者の一般的な年齢および性別の自動判定を可能することができる。利用可能なとき、この情報を利用して、消費者に提供するコンテンツおよび／またはコンテンツを配信する方式を選択することができる。例えば、中年の人と対話するときに大人のアバタを表示することができ、子供と対話するときにアニメーションの漫画キャラクタを利用することができる。そのような情報を利用して、表示すべき特定のコンテンツを選択することもできる。例えば、関心を持つ消費者の認識した人口統計と合致するように人口統計ベースの提供を自動的に選択することができる。
【００４１】
年齢および／または性別に関するそのような解析を、必要に応じてさらに解析するために制御回路によって格納し、かつ／またはリモートサーバに転送することもできる。次に、これを活用して、どのアトラクションモードが特定の人口統計を引き付けているか、どの任意の選択が特定の人口統計グループによってさらに調査される傾向があるかなどをより良く理解することができる。次に、これにより、消費者との将来のより良い対話を容易にする助けとすることができ、こうした関心のある者による所望のコンテンツの配信を保証することができる。
【００４２】
上述のように、必要なら、上述のキオスクは、例えば消費者のスマートフォンと対話することができる。この場合、キオスクは、例えば、消費者のスマートフォン内のショッピングリストの位置を特定し、そのショッピングリスト上の品目に対応する傾向があるレシピを検討するオプションを消費者に提示することができる。このことは、消費者が、例えばレシピの様々なグルーピング（限定はしないが、３つの材料の食事、素早い食事、健康的な食事など）から選択することを可能にすることを含むことができる。消費者が特定のレシピを選択するとき、こうした教示は、必要なら、そのレシピを消費者のスマートフォン、または消費者によって指定することができるような他の位置（ホームコンピュータのアドレスなど）に送信し、あるいは転送することに対処する。
【００４３】
特定のレシピを選択したとき、次いでキオスクは、選択されたレシピを実施するのに必要となる可能性のある何らかの欠けている材料を含むように消費者のショッピングリストを更新するサービスを消費者に提供することができる。
【００４４】
こうした教示は、必要に応じて、他のより単純な食事計画手法に対処する。例えば、キオスクは、必要なら、事前準備されたショッピングリストに依拠することなくレシピ検索を行う機会を消費者に提供することができる。このようにして１つまたは複数のレシピを選択するとき、キオスクはやはり、必要なら、対応するレシピ情報および／または対応するショッピングリストを消費者のプラットフォームの選択肢に転送することができる。
【００４５】
別のオプションは、必要なら、印刷機能を有するキオスクを（一体的またはローカルに）設けることである。これにより、キオスクが、対応する材料に関する選択されたレシピおよび／またはショッピングリスト、進呈されるクーポン、リベートフォームなどのハードコピーバージョンを消費者に提供することが可能となる。
【００４６】
上記で示唆したように、キオスクは、キオスクをホストする小売り現場に関するロイヤルティプログラムへの消費者の所属に関する情報を受け取る機能を備えることができる。利用可能なとき、この情報を利用して、具体的には消費者を識別する助けとすることができ、次に、これを利用して、対話をさらにパーソナライズすることができる。こうした点での１つの単純な例として、この特定の消費者の購入履歴を評価することができ、そのような製品への消費者の関心および／または消費者に対するそのような製品の即座の可用性を推定する特定のレシピを提案することができる。別の例として、この情報を利用して、対応する割引き提供品、リベート提供品、または他の販売促進機会を消費者に提供することを容易にすることができる。一手法により、そのような販売促進割引きを自動的に消費者のロイヤルティアカウントに追加し、精算時にその自動引換えを容易にすることができる。別の手法により、そのような機会を、精算時に引き換えることのできる電子クーポンとして消費者のポータブル電子装置の選択肢（消費者のスマートフォンなど）にワイヤレスに提供することができる。
【００４７】
上述のように、一手法により、関心のある消費者に１つまたは複数の品目を販売するようにキオスクを構成することができる。このことは、１つまたは複数の無料サンプルを消費者に提供することを含むことができる。提供される特定のサンプルまたは提供されるサンプル数は、必要なら、消費者に関して利用可能な特定の種類の情報を有することに依存させることができる。例えば、消費者が（例えば、キオスクをホストする小売り現場の頻繁な訪問者としての長期にわたる状況を介して）システムに十分に知られているとき、より高グレードのサンプルおよび／またはより多数のサンプルをそのような人に提供することが適切であることがある。
【００４８】
サンプル自体は一般的な性質のものでよく、具体的には、例えば、特定の消費者に提案されるレシピのうちの１つまたは複数に結びつけることができる。例えば、所与のレシピが特定の材料を必要とするとき、キオスクは、そのレシピについてその消費者に情報を提示する間、その特定の材料の対応する無料サンプルを得る機会をその消費者に提供することもできる。消費者から肯定的な表示を受け取ったとき、次いでキオスクは、消費者に無料サンプルを直ちに自動的に販売することができる。次いで、消費者は、後続の選択および動作を、サンプルのリアルタイム評価に基づかせることができる。
【００４９】
そのようなキオスクは、上記の代わりに、または上記と組み合わせて、限定はしないが、モバイルサービス、オンライン消費者サービス（インターネットで促進される食品アシスタントアプリケーション、健康およびウェルネスサービス、食品ペアリングサービス、パーティおよびイベント企画サービス、ダイエットサービスなど）、様々な種類のデジタルメディア（限定はしないが、オーディオコンテンツ、ビデオコンテンツ、テキストコンテンツ、グラフィックコンテンツなど）などのソフト商品を（金銭的代償と共に、または金銭的代償なしに）配布する働きもすることができる。こうした教示は、上記を分離して、または必要なら、１つまたは複数の（恐らくは相互に関連する）消費者製品の販売促進および／または販売と組み合わせてサポートすることができる。
【００５０】
もちろん、提案される特定のレシピおよび材料は、必要に応じてクロスマーチャンダイジングの機会を開く。このことは、例えば、異なる食料雑貨品目の２つの製造業者が、その商品群の両方について知るように励まし、その商品群の両方から品目を最終的に購入するように、レシピ、コンテンツ、サンプルなどを提示することを可能にすることを含むことができる。
【００５１】
そのように構成されると、様々な季節、販売機会などにより良く適合するように、そのような消費者対話キオスクを容易に再スキニングすることができる。このことを念頭に置いて、ユーザインターフェースからプレゼンテーションレイヤを分離することにより、そのような機能をさらに促進することができ、それによって比較的高速かつ単純な変更する能力が容易に可能となり、それによって所与のキオスクに関するクリエイティブなコンテンツおよび対応するデジタル資産がリフレッシュされる。そのようなキオスクは、いわゆるテントポールイベント（スーパーボウルウィークエンド、感謝祭、独立記念日のバーベキューおよびピクニックなど）に対応する販売促進抱き合せに関して特に有用なものとすることができる。具体的には、特定の材料および／またはレシピを提案することができるように、表示されるイメージおよびレンダリングされるオーディオサウンドをそのようなイベントと主題的に明確に結びつけることができる。
【００５２】
必要なら、そのような再スキニングは時間ベースでよい。例えば、予測可能な時間ごとに明らかな一般的な消費者の違いによって表される販売機会により良く適合するように、キオスクの外観（および／または、必要に応じてコンテンツ）を時間（時刻および／または曜日を含む）に応じて変化させることができる。この再スキニング機能は、一般的な聴衆にブロードキャストし、ならびにより少数の聴衆（単一の所与の消費者までを含む）にナローキャストすることを可能にする働きもすることができる。
【００５３】
そのようなキオスクを、訪問する消費者の関心および想像を引き付けるためのエンターテイメントを提供するように構成することもできる。このことは、単純な販売促進（インスタントウィン宝くじなど）から、レシピベースのゲームや他の活動などのより複雑な販売促進まで及ぶことができる。このことは、パーソナライズしたアバタまたは表示される対話の他の背景もしくは構成要素（必要に応じて、消費者によってカスタマイズされ、またはされない）、モバイルタギング（例えば、ＱＲコード（登録商標）、ＤａｔａＭａｔｒｉｘコード、Ｍｉｃｒｏｓｏｆｔ  Ｔａｇ、ギオタギングなど）、拡張現実などの使用を含む。
【００５４】
こうした点で１つの特定であるが非限定的な例として、キオスクのカメラを利用して消費者の顔を取り込むことができる。次いで（恐らくは適切かつ自動的にクロッピングされた）このイメージを、他の画像と楽しい仕方で組み合わせることができる。例えば、消費者の顔を仮想バブルヘッド人形に重ね合わせ、閲覧者の楽しみのために人形の頭をぎこちない形で動かすことができる。別の例として、恐らくはスーパーボウルウィークエンドテントポール販売促進に折よく、消費者のフットボールチームの選択肢に関するフットボールヘルメットの中に消費者の顔を配置することができる。次いで、得られたイメージを見物人の楽しみのために再び表示することができる。こうした教示は、消費者が特定する任意の宛先の選択肢（消費者のスマートフォン、家庭、または友人のＥメールアドレスなど）にそのようなイメージを送信することもサポートする。
【００５５】
必要なら、パターン認識プログラミングを利用して、そのような機能を実施するときに不適切な（例えば、わいせつな）ジェスチャなどを検出することができる。そのようなコンテンツを検出したとき、適切な対応する動作を自動的に続けることができる。このことは、例えば、消費者が実際に取り込まれたイメージをその通りに利用することを意図するかどうかを尋ねること、または単にプロセスを停止し、取り込まれたイメージのさらなる表示、使用、転送、もしくは他の操作を拒否することを含むことができる。
【００５６】
先に暗に言及したように、そのようなキオスクを、ソーシャルネットワークの選択肢と軽くまたはしっかりと相互接続することもできる。例えば、この特定のキオスクの識別をＦａｃｅｂｏｏｋなどのサイトでホストすることが可能である可能性がある。次いで、関心のある消費者は、キオスクと「友達」となり、ソーシャルネットワーキング機能を介して利用可能な、拡張された対話機会を得ることができる。１つの単純な例として、キオスクで特定のレシピを選択する消費者は、消費者自身のＦａｃｅｂｏｏｋページまたはキオスクに関するＦａｃｅｂｏｏｋページでポストおよびレーティングされたそのレシピを有することができる。こうした点で別の例として、ソーシャルネットワーキングサイトを介してコンテンストを実施し、キオスクに繰り返し訪問する関心を消費者に起こさせることができる。例えば、そのような１つの機会は、キオスクの友人に、複数の候補無料サンプルのうちのどれが実際に特定の時点でキオスクで提供されるべきかに関して投票するように求めることを含むことができる。この点で投票し、結果に関心を持ち、結果が与えられる機会を有することは、消費者にとって楽しく、かつ引き付けられるものとすることができ、特定のキオスクおよびキオスクをホストする小売り現場を再訪する消費者の動機付けを促す助けにもなる。
【００５７】
これらに関してより具体的かつ非限定的な例として、そのようなキオスクは、消費者との「対面の」対話中に、１つまたは複数のソーシャルネットワーク動作を開始および／または完了するようにその消費者に促すことができる。これらに関して現在のほんの数例を挙げれば、これは、例えば、Ｆａｃｅｂｏｏｋなどのサイトで特定のソーシャルネットワークエンティティ（キオスク自体、または所与の製品群の製造業者や販売者などのスポンサエンティティなど）と「友達」になり、Ｔｗｉｔｔｅｒなどのサイトで特定のソーシャルネットワークエンティティを「フォロー」し、またはＦｏｕｒｓｑｕａｒｅなどのサイトで「チェックイン」するように消費者に促すことを含むことができる。
【００５８】
一手法により、そのような動作を取るように消費者に促すために、キオスクは、これらの点で消費者が直ちに行動を起こすことの引換えに、（例えば、ウェブ使用可能スマートフォンを使用して）販売促進機会の提供を差し伸べることができる。このことは、例えば、（必要に応じてハードコピーまたは仮想フォームの）割引きまたはリベートクーポン、別の場所で無料で品目と交換することのできる（やはり必要に応じてハードコピーまたは仮想フォームの）引換え券、または（キオスクが現在販売することができるもの（食品、飲料、非食用の物理的物体、デジタルオブジェクト（歌、ビデオなど）などの）一般に好まれる直ちに提供される無料サンプルを消費者に提供することを含むことができる。
【００５９】
もちろん、特定のソーシャルネットワークで何らかの所望の行動を取るための何らかの価値を消費者に提供するとき、過度に積極的な消費者によるそのような機会の潜在的な乱用を回避するための予防措置を取ることが適切なことがある。こうした点での一例として、指示された動作の完了時にコードを消費者に提供することができる。これは、例えば、消費者の電話にテキスト送信された英数コードでよい。別の例として、これは、消費者がその通信装置でグラフィックスファイル（．ｔｉｆまたは．ｊｐｇフォーマットのファイルなど）として受信する２次元光学式コードを含むことができる。
【００６０】
受信時に、次いで消費者は、このコードをキオスクに与えて、消費者の処置の完了を証明し、上述の報酬（無料サンプルなど）の提供をトリガする。こうした教示は、このコードをキオスクに与える様々な方式のいずれにも対処する。一手法により、キオスクは、消費者がコード値を入力するのに使用することのできる触覚ユーザインターフェース（実際または仮想のキーボードまたはキーパッド）を有することができる。（例えば、コードが、消費者が消費者のスマートフォンのディスプレイ上で提示することのできる２次元コードの形態を有するときに使うための）別の手法により、キオスクは、提供されたコードを閲覧することのできるスキャナまたはカメラを有することができる。
【００６１】
そのような消費者との間のソーシャルネットワークベースの関係を活用して、関係するすべての者に恩恵をもたらす多数の方式がある。こうした点での一例に過ぎないが、Ｆａｃｅｂｏｏｋでの「友達の」消費者の「壁紙」に販売促進コンテンツを配置することができる。この方式で情報および他の消費者関係開発コンテンツを提供することに加えて、この販売促進コンテンツは、拡張するために消費者の他の友人に時間限定の割引き提案を提供することもできる。
【００６２】
こうした点で別の関連する装飾として、消費者が非常に短期間にそのような動作を非常に迅速に実施することを可能にし、それによって例えば消費者が望む無料サンプルを消費者がより迅速に受け取ることを可能にすることを促進するスマートフォンアプリケーション（ｉＰｈｏｎｅまたはＤｒｏｉｄ「ａｐｐ」など）を提供することが可能となる。そのようなアプリケーションは、例えば大規模な様々な製品群の大規模な製造業者によって提供することができ、そのような製造業者が処理することができるように、様々なキオスクと比較的透過的な方式で対話する働きをすることができる。もちろん、そのようなアプリケーションは、位置認識アプリケーションを含むことができる。そのような場合、アプリケーションは、現在位置がキオスク対話機会のタイプについての情報と共に与えられると、キオスク対話機会が消費者にとって利用可能であることについて消費者に通知を与える働きをすることができる。
【００６３】
本発明の精神および範囲から逸脱することなく、上述の実施形態に関して多種多様な修正、代替、および組合せを行えること、およびそのような修正、代替、および組合せを本発明の概念の範囲内と考えるべきであることを当業者は理解されよう。
【００６４】
この点で１つの例示的実施例として、所与の消費者が対応するテキスト、Ｅメール、ツイートなどを介して特定の無料サンプルを１人または複数の友人に推薦し、さらには予約するように手配することを可能にするように、そのようなキオスクを構成することができる。そのような推薦は、友人が将来のある時にこのキオスクまたは別のキオスクで入力あるいは提示して、その特定のサンプルを受け取ることのできる固有コードと共に、キオスクの位置に関する情報を含むことができる。
【００６５】
関連する手法では、特定の販売可能品目を選択し、消費者の識別される友人の代わりにその品目に対して支払いをすることを消費者に許可することができる。次いで、その友人は、将来のある時に、キオスクで自分自身を提示するときに、予約され、準備された品目を請求することができる。
【００６６】
こうした点で別の例示的実施例として、多数の配置されたキオスクが、食事計画解決策のような情報を中央位置から受信することができ、それによって、すべての配置されたキオスクが、その現在位置、または訪問要員によって最後にいつサービスされたかの如何に関わらず、そのような情報の利点を有することができる。すべての（または具体的には目標とする）キオスクは、どの食事計画解決策を提供するか、およびどんな環境下か（地理ベースの感度、時間ベースの感度、ホスト施設ベースの感度、小売りチャネルベースの感度など）に関するローカル決定を個々のキオスクがより良く通知することを助ける際に、リモート施設から選択基準を受信することもできる。そのような集中型（または少なくともネットワーク化された）アーキテクチャは、一定のシステム動作ヘルス、予測的保守、製品在庫監視および追跡などを容易にする働きもすることができる。
【００６７】
こうした点でさらに別の例示的実施例として、様々な必要に適合するための柔軟な再構成をサポートするようにキオスクのハウジング自体を構成することができる。このことは、ハウジングにモジュラ手法を採用して、可変数の消費者対話ステーションを選択可能およびサポート可能にすること、柔軟なシェルビング手法を使用して、異なる形状因子、サイズを有する製品をサポートするようにオンサイト調節を可能にすることなどを含むことができる。
【図１】
2014514643.tif 000003
【図２】
2014514643.tif 000004
【図３】
2014514643.tif 000005
【図４】
2014514643.tif 000006
【図５】
2014514643.tif 000007
【国際調査報告】
2014514643.tif 000008